(57)【要約】【課題】両面ユニットあるいは防塵カバー装着時における、電源ユニット周りの気流経路を確保することができる画像形成装置を提供する。【解決手段】両面ユニット１０が外付けで装着可能であり、機内にあって両面ユニット装着側端部近傍に電源ユニット６を固定する電源ユニットブラケット７を配置した画像形成装置において、電源ユニットブラケット７の下面に、両面ユニット１０の装着により摺動して気流経路を形成する遮蔽板８を設けた。【選択図】      図４
2004347631.tif 000002
【特許請求の範囲】
【請求項１】
両面ユニットが外付けで装着可能であり、機内にあって両面ユニット装着側端部近傍に電源ユニットを固定する電源ユニットブラケットを配置した画像形成装置において、電源ユニットブラケット下面に、両面ユニットの装着により摺動して気流経路を形成する遮蔽板を設けたことを特徴とする画像形成装置。
【請求項２】
両面ユニットが外付けで装着可能であり、機内にあって両面ユニット装着側端部近傍に電源ユニットを固定する電源ユニットブラケットを配置した画像形成装置において、電源ユニットブラケット下面に、両面ユニットの装着により揺動して気流経路を形成する遮蔽板を設けたことを特徴とする画像形成装置。
【請求項３】
防塵カバーが外付けで装着可能であり、機内にあって防塵カバー装着側端部近傍に電源ユニットを固定する電源ユニットブラケットを配置した画像形成装置において、電源ユニットブラケット下面に、防塵カバーの装着により移動して気流経路を形成する遮蔽板を設けたことを特徴とする画像形成装置。
【発明の詳細な説明】
【０００１】
【発明の属する技術分野】
本発明は、複写機、ファクシミリ、プリンタ等の画像形成装置に関し、特に電源ユニット周りの遮蔽構造に関するものである。
【０００２】
【従来の技術】
画像形成装置において、排気ファンを１個しか持たない場合、発熱体である電源ユニットや定着ユニットから効率よく熱を機外に逃がすために、あるいは発熱体を冷却するために、気流経路を確保する必要がある。
装置内の最下部に電源ユニットを配置する場合、電源ユニット周りを自然対流で冷却するためには、電源ユニットを固定する電源ユニットブラケット等の下方に吸気孔を設けて、気流経路を確保する必要がある。なおこの場合、当然ながら電源ユニットの通電部の直下には吸気孔が位置しないようにしてある。
【０００３】
【発明が解決しようとする課題】
しかしながら、通紙レイアウト上、装置本体後方より両面ユニット（両面コピーを行うための両面搬送手段、両面トレイ等）を装着しなければならない場合、両面ユニットを装着すると電源ユニットブラケット下方の吸気孔を水平搬送部で遮蔽してしまい、充分な気流経路を設けることができなくなってしまう。両面ユニットの水平搬送部に吸気孔を設ければある程度の気流経路を作られるが、それでも吸気効率が低下することを避けられない。
本発明は、オペレータが装着できるタイプの両面ユニットあるいは防塵カバー装着時における、電源ユニット周りの気流経路を確保することができる画像形成装置を提供することを目的とする。
【０００４】
【課題を解決するための手段】
上記目的を達成するために、請求項１記載の発明は、両面ユニットが外付けで装着可能であり、機内にあって両面ユニット装着側端部近傍に電源ユニットを固定する電源ユニットブラケットを配置した画像形成装置において、電源ユニットブラケット下面に、両面ユニットの装着により摺動して気流経路を形成する遮蔽板を設けた画像形成装置を最も主要な特徴とする。
請求項２記載の発明は、両面ユニットが外付けで装着可能であり、機内にあって両面ユニット装着側端部近傍に電源ユニットを固定する電源ユニットブラケットを配置した画像形成装置において、電源ユニットブラケット下面に、両面ユニットの装着により揺動して気流経路を形成する遮蔽板を設けた画像形成装置を最も主要な特徴とする。
請求項３記載の発明は、防塵カバーが外付けで装着可能であり、機内にあって防塵カバー装着側端部近傍に電源ユニットを固定する電源ユニットブラケットを配置した画像形成装置において、電源ユニットブラケット下面に、防塵カバーの装着により移動して気流経路を形成する遮蔽板を設けた画像形成装置を最も主要な特徴とする。
【０００５】
【発明の実施の形態】
以下、図面を参照して発明の実施形態を説明する。
図１は本発明の実施の形態に係る画像形成装置単体の構成図、図２は本発明の実施の形態に係る画像形成装置において両面ユニットを装着した状態の構成図、図３は画像形成装置単体における遮蔽板の第１の実施例を示す図であり、（ａ）は上面図、（ｂ）は側面図、図４は両面ユニットを装着した画像形成装置における遮蔽板の第１の実施例を示す図であり、（ａ）は上面図、（ｂ）は側面図である。図３（ａ）と図４（ａ）では電源ユニットを省略してある。
本画像形成装置は、プロセスカートリッジ１、書込ユニット２、用紙搬送経路３、後カバー４、定着ユニット５、電源ユニット６、電源ユニットブラケット７、遮蔽板８、給紙トレイ９を備えている。図２は後カバー４を外し両面ユニット１０を装置本体に装着した状態である。
【０００６】
図３に示すように、遮蔽板８は、電源ユニットブラケット７の上にスライド自在に配置されており、装置単体の状態では図示はされていないがスプリング等により後方（図３の左方向）に押されている。ここで、電源ユニットブラケット７下面には吸気孔１２が設けてあるが、遮蔽板８の吸気孔１３とは位置がずれており、空気の流れは無い。また、この吸気孔の真上には電源ユニット６があるが塞がれており、吸気孔を介した感電の危険性は無い。
【０００７】
次に、図４に示すように、装置後方より両面ユニット１０を装着すると、両面ユニット１０に設けられた遮蔽板突き出し突起１１が装置に設けた穴から装置内に入り込んで遮蔽板８を押圧して前方にスライドし、電源ユニットブラケット７下面の吸気孔１２と遮蔽板の吸気孔１３の位置が合うことになる。結果として両吸気孔１２，１３は吸気孔として働くようになり、電源ユニット６周りの気流経路を作ることができる。この場合、電源ユニット６の真下に開口部ができるが、さらにその下方に両面ユニット１０の水平搬送部１５がくるため、感電の危険性は生じない。符号１４はスライドガイド、１６は構造体である。
【０００８】
図５は画像形成装置単体における遮蔽板の第２の実施例を示す図であり、（ａ）は上面図、（ｂ）は側面図、図６は両面ユニットを装着した画像形成装置における遮蔽板の第２の実施例を示す図であり、（ａ）は上面図、（ｂ）は側面図である。説明のため電源ユニットを省略してある。
遮蔽板８は、電源ユニットブラケット７の上に揺動自在に複数配置されており、さらに遮蔽板８の左右にはリンク板１８が取り付けてあるので、複数の遮蔽板８は同時に揺動されるようになっている。また、装置単体の状態では図示はされていないがスプリング等により後方に押されているので、遮蔽板８は倒れた状態になっている。ここで、電源ユニットブラケット７下面には吸気孔１２が設けてあるが、遮蔽板８がブラケット７の下面上に倒れているので空気の流れは無い。また、この吸気孔１２の真上には電源ユニット６があるが塞がれているため、感電の危険性は無い。
【０００９】
次に、図６に示すように、装置後方より両面ユニット１０を装着すると、両面ユニット１０に設けられた遮蔽板突き出し突起１１が両リンク板１８を前方にスライドし、リンク板１８に組み付けられた複数の遮蔽板８がリンク板１８のガイド穴１７に沿って起き上がり、吸気孔１２が開口されるので、電源ユニット６周りの気流経路を作ることができる。電源ユニット６の真下に開口部ができるが、さらにその下方に両面ユニット１０の水平搬送部１５がくるため、感電の危険性は生じない。また、この遮蔽板８の揺動角度は設計時に自由に設定可能なため、その角度により整流板の機能も果たすことできる。
【００１０】
図７は本発明の実施の形態に係る画像形成装置において防塵カバーを装着した状態の構成図である。オペレータが設置する防塵カバー２０にも遮蔽板突き出し突起２１を設けることにより、防塵カバー２０の装着時に吸気孔１２が開口されるので、電源ユニット６周りの気流経路を作ることができる。
【００１１】
【発明の効果】
請求項１の発明によれば、両面ユニットを装着しても電源ユニットブラケットの下側に吸気孔を設けることができ、効率的に電源ユニットの冷却を行うことができるようになる。
請求項２の発明によれば、請求項１の発明の効果に加え、電源ユニット設置部の気流経路を制御できるようになる効果がある。
請求項３の発明によれば、防塵カバーの装着においても請求項１、または請求項２の発明の効果を奏することができる。
【図面の簡単な説明】
【図１】本発明の実施の形態に係る画像形成装置単体の構成図である。
【図２】本発明の実施の形態に係る画像形成装置において両面ユニットを装着した状態の構成図である。
【図３】画像形成装置単体における遮蔽板の第１の実施例を示す図である。
【図４】両面ユニットを装着した画像形成装置における遮蔽板の第１の実施例を示す図である。
【図５】画像形成装置単体における遮蔽板の第２の実施例を示す図である。
【図６】両面ユニットを装着した画像形成装置における遮蔽板の第２の実施例を示す図である。
【図７】本発明の実施の形態に係る画像形成装置において防塵カバーを装着した状態の構成図である。
【符号の説明】
１  プロセスカートリッジ、２  書込ユニット、３  用紙搬送経路、４  後カバー、５  定着ユニット、６  電源ユニット、７  電源ユニットブラケット、８遮蔽板、９  給紙トレイ、１０  両面ユニット、１１  遮蔽板突き出し突起（両面ユニット）、１２  吸気孔（電源ユニットブラケット）、１３  吸気孔（遮蔽板）、１４  スライドガイド、１５  両面ユニット水平搬送部、１６  構造体、１７  リンク板ガイド穴、１８  リンク板、１９  遮蔽板揺動ヒンジピン、２０  防塵カバー、２１  遮蔽板突き出し突起（防塵カバー）。
【図１】
2004347631.tif 000003
【図２】
2004347631.tif 000004
【図３】
2004347631.tif 000005
【図４】
2004347631.tif 000006
【図５】
2004347631.tif 000007
【図６】
2004347631.tif 000008
【図７】
2004347631.tif 000009